(57)【要約】【課題】消費電力の低減を図る。【解決手段】信号を送信する際に、総合効率コントローラ４８が出力電力信号が示す要求出力電力Ｐｒｅｑに基づいてドライバ３２，メインアンプ３４の総合効率が良好なドライバ３２，メインアンプ３４の電源電圧ＶＤＤ１，ＶＤＤ２の目標電圧を設定し、設定した目標電圧がドライバ３２やメインアンプ３４へ供給されるようＤＣ−ＤＣコンバータ４４，４６を制御する。これにより、信号を送信する際に増幅器３０を効率よく作動させることができ、送信機１０全体の消費電力の低減を図ることができる。【選択図】図１
2014057178.tif 000002
【特許請求の範囲】
【請求項１】
入力信号の電力を増幅して出力する増幅器であって、
第１の電源電圧を用いて入力信号の電力を増幅する第１増幅手段と、
前記第１の電源電圧と異なる第２の電源電圧を用いて前記第１増幅手段からの信号の電力を増幅する第２増幅手段と、
前記増幅器の効率が高くなるよう調整した前記第１の電源電圧を前記第１増幅手段に供給すると共に、前記増幅器の効率が高くなるよう調整した前記第２の電源電圧を前記第２増幅手段に供給する電圧供給手段と、
を備える増幅器。
【請求項２】
請求項１記載の増幅器であって、
前記第１の電源電圧は、前記第２の電源電圧より高い電圧である
増幅器。
【請求項３】
請求項１または２記載の増幅器であって、
前記第１増幅手段は、利得を変更可能な手段であり、
前記増幅器の効率が高くなるよう前記第１増幅手段の利得を制御する利得制御手段、
を備える増幅器。
【請求項４】
請求項１または２記載の増幅器であって、
前記第２増幅手段から出力すべき信号の電力である要求出力電力に基づいて前記増幅器の効率を高くする前記第１の電源電圧の目標値である第１の目標電圧と前記第２の電源電圧の目標値である第２の目標電圧とを設定する目標値設定手段
を備え、
前記電圧供給手段は、前記第１の電源電圧が前記第１の目標電圧になると共に前記第２の電源電圧が前記第２の目標電圧になるよう前記第１の電源電圧と前記第２の電源電圧とを調整する手段である
増幅器。
【請求項５】
請求項４記載の増幅器であって、
前記要求出力電力と前記増幅器の効率を高くする前記第１の電源電圧および前記第２の電源電圧との関係を目標値設定用ルックアップテーブルとして記憶しておくルックアップテーブル記憶手段
を備え、
前記目標値設定手段は、前記要求出力電力と前記目標値設定用ルックアップテーブルとを用いて前記第１の目標電圧と第２の目標電圧とを設定する手段である
増幅器。
【請求項６】
請求項５記載の増幅器であって、
前記第１増幅手段は、利得を変更可能な手段であり、
前記第１増幅手段の利得を制御する利得制御手段
を備え、
前記ルックアップテーブル記憶手段は、前記要求出力電力と前記増幅器の効率を高くする前記第１の電源電圧および前記第２の電源電圧と前記第１増幅手段の利得との関係を目標値設定用ルックアップテーブルとして記憶しておく手段であり、
前記目標値設定手段は、前記要求出力電力と前記目標値設定用ルックアップテーブルとを用いて前記第１の目標電圧と第２の目標電圧と前記第１増幅手段の利得の目標値である目標利得とを設定する手段であり、
前記利得制御手段は、前記第１増幅手段の利得が前記設定された目標利得になるよう前記第１増幅手段を制御する手段である
増幅器。
【請求項７】
請求項４記載の増幅器であって、
前記第２増幅手段から出力される出力信号の電力を検出する出力電力検出手段、
を備え、
前記目標値設定手段は、前記検出された出力信号の電力を前記要求出力電力とする前記第１の電源電圧および前記第２の電源電圧のうち、前記増幅器の効率がよくなる電圧を、前記第１の目標電圧と前記第２の電源電圧として設定する手段である
増幅器。
【請求項８】
請求項７記載の増幅器であって、
前記第１増幅手段は、利得を変更可能な手段であり、
前記第１増幅手段の利得を制御する利得制御手段
を備え、
前記目標値設定手段は、前記検出された出力信号の電力を前記要求出力電力とする前記第１の電源電圧および前記第２の電源電圧および前記第１増幅手段の利得のうち、前記増幅器の効率がよくなる電圧および利得を、前記第１の目標電圧および前記第２の電源電圧および前記第１増幅手段利得として設定する手段であり、
前記利得制御手段は、前記第１増幅手段の利得が前記設定された目標利得になるよう前記第１増幅手段を制御する手段である
増幅器。
【請求項９】
外部に信号を送信する送信機であって
信号を処理して出力する信号処理装置と、
前記信号処理装置から出力された信号を前記入力信号とする請求項１ないし８いずれか１つの請求項に記載の増幅器と、
を備える送信機。
【請求項１０】
外部に信号を送信する送信機であって
信号を処理して出力する信号処理装置と、
前記信号処理装置から出力された信号を前記入力信号とする請求項４ないし８いずれか１つの請求項に記載の増幅器と、
を備え、
消費電力または前記増幅器から出力された信号の電力を所定電力以下にする低電力モードにより動作可能で、
前記増幅器は、前記目標値設定手段による設定を前記低電力モードで動作している際に実行する
送信機。
【発明の詳細な説明】
【技術分野】
【０００１】
本発明は、増幅器および送信機に関する。
【背景技術】
【０００２】
従来、この種の増幅器としては、送信信号を増幅する増幅部を備え、送信信号のエンベロープを検出し、検出したエンベロープを時間微分した微分成分にフィルタ処理を行なったものを積分して得られるエンベロープトラッキング信号を生成し、生成したエンベロープトラッキング信号に基づいて増幅部に用いられる電圧を制御するものが提案されている（例えば、特許文献１参照）。この増幅器では、こうした構成により、信号の増幅において効率のよい電力供給を行なうことができるとしている。
【先行技術文献】
【特許文献】
【０００３】
【特許文献１】特開２０１１−１９３１５３号公報
【発明の概要】
【発明が解決しようとする課題】
【０００４】
ところで、上述したような信号を増幅する増幅器として、互いに異なる電圧を用いて信号の増幅を行なう二つの増幅部を備える増幅器が提案されている。こうした増幅器は様々な装置、例えば、無線送信機などに搭載されるが、こうした装置における全体の消費電力のうち増幅器の消費電力が占める割合が高いため、増幅器の消費電力を低減させて装置全体の消費電力を低減させることが望まれている。
【０００５】
本発明の増幅器および送信機は、消費電力を低減させることを主目的とする。
【課題を解決するための手段】
【０００６】
本発明の増幅器および送信機は、上述の主目的を達成するために以下の手段を採った。
【０００７】
本発明の増幅器は、
入力信号の電力を増幅して出力する増幅器であって、
第１の電源電圧を用いて入力信号の電力を増幅する第１増幅手段と、
前記第１の電源電圧と異なる第２の電源電圧を用いて前記第１増幅手段からの信号の電力を増幅する第２増幅手段と、
前記増幅器の効率が高くなるよう調整した前記第１の電源電圧を前記第１増幅手段に供給すると共に、前記増幅器の効率が高くなるよう調整した前記第２の電源電圧を前記第２増幅手段に供給する電圧供給手段と、
を備えることを要旨とする。
【０００８】
この本発明の増幅器では、増幅器の効率が高くなるよう調整した第１の電源電圧を第１増幅手段に供給すると共に、増幅器の効率が高くなるよう調整した第２の電源電圧を第２増幅手段に供給する。これにより、第１増幅手段と第２増幅手段とを効率よく作動させることができ、増幅器の消費電力を低減させることができる。ここで、「第１の電源電圧」は、第２の電源電圧より高い電圧であるものとすることもできる。
【０００９】
こうした本発明の増幅器において、前記第１増幅手段は、利得を変更可能な手段であり、前記増幅器の効率が高くなるよう前記第１増幅手段の利得を制御する利得制御手段、を備えるものとすることもできる。第１，第２の電源電圧に加えて、第１増幅手段の利得を変更することにより、より適正に増幅器の消費電力を低減させることができる。
【００１０】
この本発明の増幅器において、前記第２増幅手段から出力すべき信号の電力である要求出力電力に基づいて前記増幅器の効率を高くする前記第１の電源電圧の目標値である第１の目標電圧と前記第２の電源電圧の目標値である第２の目標電圧とを設定する目標値設定手段を備え、前記電圧供給手段は、前記第１の電源電圧が前記第１の目標電圧になると共に前記第２の電源電圧が前記第２の目標電圧になるよう前記第１の電源電圧と前記第２の電源電圧とを調整する手段であるものとすることもできる。こうすれば、要求出力電力が変化するときにも消費電力の低減を図ることができる。
【００１１】
要求出力電力に基づいて第１の目標電圧と第２の目標電圧とを設定する態様の本発明の増幅器において、前記要求出力電力と前記増幅器の効率を高くする前記第１の電源電圧および前記第２の電源電圧との関係を目標値設定用ルックアップテーブルとして記憶しておくルックアップテーブル記憶手段を備え、前記目標値設定手段は、前記要求出力電力と前記目標値設定用ルックアップテーブルとを用いて前記第１の目標電圧と第２の目標電圧とを設定する手段であるものとすることもできる。こうすれば、より適正に消費電力の低減を図ることができる。この場合において、前記第１増幅手段は、利得を変更可能な手段であり、前記第１増幅手段の利得を制御する利得制御手段を備え、前記ルックアップテーブル記憶手段は、前記要求出力電力と前記増幅器の効率を高くする前記第１の電源電圧および前記第２の電源電圧と前記第１増幅手段の利得との関係を目標値設定用ルックアップテーブルとして記憶しておく手段であり、前記目標値設定手段は、前記要求出力電力と前記目標値設定用ルックアップテーブルとを用いて前記第１の目標電圧と第２の目標電圧と前記第１増幅手段の利得の目標値である目標利得とを設定する手段であり、前記利得制御手段は、前記第１増幅手段の利得が前記設定された目標利得になるよう前記第１増幅手段を制御する手段であるものとすることもできる。第１増幅手段の利得も制御することにより、より適正に消費電力の低減を図ることができる。
【００１２】
要求出力電力に基づいて第１の目標電圧と第２の目標電圧とを設定する態様の本発明の増幅器において、前記第２増幅手段から出力される出力信号の電力を検出する出力電力検出手段を備え、前記目標値設定手段は、前記検出された出力信号の電力を前記要求出力電力とする前記第１の電源電圧および前記第２の電源電圧のうち、前記増幅器の効率がよくなる電圧を、前記第１の目標電圧と前記第２の電源電圧として設定する手段であるものとすることもできる。こうすれば、より適正に出力信号の電力を要求出力電力としながら増幅器の消費電力の低減を図ることができる。この場合において、前記第１増幅手段は、利得を変更可能な手段であり、前記第１増幅手段の利得を制御する利得制御手段を備え、前記目標値設定手段は、前記検出された出力信号の電力を前記要求出力電力とする前記第１の電源電圧および前記第２の電源電圧および前記第１増幅手段の利得のうち、前記増幅器の効率がよくなる電圧および利得を、前記第１の目標電圧および前記第２の電源電圧および前記第１増幅手段利得として設定する手段であり、前記利得制御手段は、前記第１増幅手段の利得が前記設定された目標利得になるよう前記第１増幅手段を制御する手段であるものとすることもできる。こうすれば、より適正に出力信号の電力を要求出力電力としながら増幅器の消費電力の低減を図ることができる。
【００１３】
本発明の第１の送信機は、
外部に信号を送信する送信機であって
信号を処理して出力する信号処理装置と、
前記信号処理装置から出力された信号を前記入力信号とする上述したいずれかの態様の本発明の増幅器、即ち、基本的には、入力信号の電力を増幅して出力する増幅器であって、第１の電源電圧を用いて入力信号の電力を増幅する第１増幅手段と、前記第１の電源電圧と異なる第２の電源電圧を用いて前記第１増幅手段からの信号の電力を増幅する第２増幅手段と、前記増幅器の効率が高くなるよう調整した前記第１の電源電圧を前記第１増幅手段に供給すると共に、前記増幅器の効率が高くなるよう調整した前記第２の電源電圧を前記第２増幅手段に供給する電圧供給手段と、を備える増幅器と、
を備えることを要旨とする。
【００１４】
この本発明の第１の送信機では、上述したいずれかの態様の本発明の増幅器を備えているから、本発明の増幅器が奏する効果、例えば、消費電力の低減を図ることができる効果などと同様の効果を奏する。
【００１５】
本発明の第２の送信機は、
外部に信号を送信する送信機であって
信号を処理して出力する信号処理装置と、
前記信号処理装置から出力された信号を前記入力信号とする、要求出力電力に基づいて第１の目標電圧と第２の目標電圧とを設定する上述したいずれかの態様の本発明の増幅器、即ち、基本的には、入力信号の電力を増幅して出力する増幅器であって、第１の電源電圧を用いて入力信号の電力を増幅する利得を変更可能な第１増幅手段と、前記第１の電源電圧と異なる第２の電源電圧を用いて前記第１増幅手段からの信号の電力を増幅する第２増幅手段と、前記増幅器の効率が高くなるよう調整した前記第１の電源電圧を前記第１増幅手段に供給すると共に、前記増幅器の効率が高くなるよう調整した前記第２の電源電圧を前記第２増幅手段に供給する電圧供給手段と、前記増幅器の効率が高くなるよう前記第１増幅手段の利得を制御する利得制御手段と、を備える増幅器と、
を備え、
消費電力または前記増幅器から出力された信号の電力を所定電力以下にする低電力モードにより動作可能で、
前記増幅器は、前記目標値設定手段による設定を前記低電力モードで動作している際に実行する
ことを要旨とする。
【００１６】
この本発明の第２の送信機では、要求出力電力に基づいて第１の目標電圧と第２の目標電圧とを設定する上述したいずれかの態様の本発明の増幅器を備えているから、要求出力電力に基づいて第１の目標電圧と第２の目標電圧とを設定する態様の本発明の増幅器が奏する効果、例えば、消費電力の低減を図ることができる効果などと同様の効果を奏する。
【図面の簡単な説明】
【００１７】
【図１】本発明の第１実施例としての増幅器３０が搭載された送信機１０の構成の概略を示す構成図である。
【図２】ルックアップテーブルの一例と目標電圧Ｖ１＊，Ｖ２＊を設定する様子を示す説明図である。
【図３】変形例の送信機１０ａの構成の概略を示す構成図である。
【図４】本発明の第２実施例としての増幅器１３０が搭載された送信機１１０の構成の概略を示す構成図である。
【図５】変形例の送信機１１０ａの構成の概略を示す構成図である。
【発明を実施するための形態】
【００１８】
次に、本発明を実施するための形態を実施例を用いて説明する。
【実施例１】
【００１９】
図１は、本発明の第１実施例としての増幅器３０が搭載された送信機１０の構成の概略を示す構成図である。送信機１０は、出力が比較的低い低出力のＲＦ信号を無線で外部に送信する送信機として構成されており、図示するように、信号を処理して出力する信号処理装置であるＤＳＰ２０と、ＤＳＰ２０からの信号に基づいて所定の送信信号を発生させる送信信号発生部２２と、送信信号発生部２２からの信号を増幅して出力する増幅器３０と、増幅器３０からの信号を外部に送信する送信アンテナ５０とを備える。
【００２０】
増幅器３０は、電源電圧ＶＤＤ１で作動し入力された信号を予め定められたゲインで増幅して出力するドライバ３２と、電源電圧ＶＤＤ１より低い電源電圧ＶＤＤ２で作動しドライバ３２から入力された信号を予め定められたゲインで増幅して送信アンテナ５０へ出力するメインアンプ３４と、電源４２からの電圧ＶＤＤをＤＣ−ＤＣコンバータ４４により電源電圧ＶＤＤ１に変換してドライバ３２へ供給すると共に電源４２からの電圧ＶＤＤをＤＣ−ＤＣコンバータ４６により電源電圧ＶＤＤ２に変換してメインアンプ３４へ供給する電圧供給部４０と、ＤＣ−ＤＣコンバータ４４，４６を制御する総合効率コントローラ４８とを備える。
【００２１】
総合効率コントローラ４８は、ＣＰＵを中心とするマイクロプロセッサとして構成されている。総合効率コントローラ４８は、ＤＳＰ２０からメインアンプ３４から出力すべき信号の電力である要求出力電力Ｐｒｅｑを示す出力電力信号が入力されると、ドライバ３２とメインアンプ３４とのそれぞれを効率よく（消費電力を低く）動作可能なそれぞれの電源電圧ＶＤＤ１，ＶＤＤ２の目標値である目標電圧Ｖ１＊，Ｖ２＊を設定し、設定した目標電圧Ｖ１＊がドライバ３２へ供給されるようＤＣ−ＤＣコンバータ４４を制御すると共に設定した目標電圧Ｖ２＊がメインアンプ３４に供給されるようＤＣ−ＤＣコンバータ４４を制御する。目標電圧Ｖ１＊，Ｖ２＊の設定は、ドライバ３２の効率にメインアンプ３４の効率を加えた総合効率を示す効率ラインと要求出力電力Ｐｒｅｑと目標電圧Ｖ１＊，Ｖ２＊との関係を示すルックアップテーブルに基づいて行なわれる。ルックアップテーブルの一例と目標電圧Ｖ１＊，Ｖ２＊を設定する様子を図２に示す。図中、実線は要求出力電力Ｐｒｅｑを示しており、破線は効率ラインを示している。図示するように、目標電圧Ｖ１＊，Ｖ２＊は、複数の効率ラインと要求出力電力Ｐｒｅｑが一定の曲線との交点のうちもっとも効率がよい（消費電力が低い）点により求めることができる。
【００２２】
こうして構成された送信機１０では、ＤＳＰ２０から送信すべき信号が送信信号発生部２２へ出力されると共に出力電力信号が総合効率コントローラ４８に出力される。送信信号発生部２２は所定の送信信号を発生させドライバ３２へ出力し、送信信号はドライバ３２，メインアンプ３４でそれぞれ電力が増幅されてメインアンプ３４から出力される。このとき、総合効率コントローラ４８が出力電力信号が示す要求出力電力Ｐｒｅｑに基づいてドライバ３２，メインアンプ３４の総合効率が良好な目標電圧Ｖ１＊，Ｖ２＊を設定し、設定した目標電圧Ｖ１＊がドライバ３２へ供給されるようＤＣ−ＤＣコンバータ４４を制御すると共に設定した目標電圧Ｖ２＊がメインアンプ３４に供給されるようＤＣ−ＤＣコンバータ４６を制御する。これにより、信号を送信する際に増幅器３０を効率よく作動させることができ、送信機１０全体の消費電力の低減を図ることができる。
【００２３】
以上説明した第１実施例の送信機１０では、信号を送信する際に、総合効率コントローラ４８が出力電力信号が示す要求出力電力Ｐｒｅｑに基づいてドライバ３２，メインアンプ３４の総合効率が良好な目標電圧Ｖ１＊，Ｖ２＊を設定し、設定した目標電圧Ｖ１＊がドライバ３２へ供給されるようＤＣ−ＤＣコンバータ４４を制御すると共に設定した目標電圧Ｖ２＊がメインアンプ３４に供給されるようＤＣ−ＤＣコンバータ４６を制御する。これにより、信号を送信する際に増幅器３０を効率よく作動させることができ、送信機１０全体の消費電力の低減を図ることができる。
【００２４】
第１実施例の送信機１０では、ドライバ３２を予め定められたゲインで作動するものとしたが、図３に示す変形例の送信機１０ａのように、ドライバ３２をゲインを変更可能な可変ゲインドライバ３２ａとして構成するものとしてもよい。この場合、総合効率コントローラ４８に代えて総合効率コントローラ４８ａを備えているものとし、総合効率コントローラ４８ａは、効率ラインと要求出力電力Ｐｒｅｑと目標電圧Ｖ１＊，Ｖ２＊，ドライバ３２のゲインＧ１の目標値である目標ゲインＧ１＊との関係を示すルックアップテーブルを記憶しておき、要求出力電力Ｐｒｅｑが与えられると効率ラインと要求出力電力Ｐｒｅｑが一定の曲線との交点のうちもっとも効率がよい（消費電力が低い）目標電圧Ｖ１＊，Ｖ２＊，目標ゲインＧ１＊を求め、こうして求めた目標ゲインＧ１で可変ゲインドライバ３２ａが作動するようにドライバ３２を制御すると共に、設定した目標電圧Ｖ１＊，Ｖ２が可変ゲインドライバ３２ａ，メインアンプ３４に供給されるようＤＣ−ＤＣコンバータ４４，４６を制御するものとすればよい。こうすれば、電源電圧ＶＤＤ１，ＶＤＤ２に加えて可変ゲインドライバ３２ａのゲインＧ１を変更することができるから、より細やかに可変ゲインドライバ３２ａを制御することができ、より適正に増幅器３０の消費電力を低減させることができる。
【実施例２】
【００２５】
図４は、本発明の第２実施例としての増幅器１３０が搭載された送信機１１０の構成の概略を示す構成図である。送信機１１０は、増幅器１３０の構成が異なる点を除いて、第１実施例の送信機１０と同一の構成となっている。増幅器１３０は、増幅器３０の構成に加えて、ＤＣ−ＤＣコンバータ４４，４６のそれぞれの消費電力Ｐ１，Ｐ２を検出する消費電力検出器１５０と、メインアンプ３４から出力される信号の電力Ｐｏｕｔを検出する出力電力検出器１５２とを備える点や、総合効率コントローラ４８に代えて総合効率コントローラ１４８を備える点を除いて、第１実施例の増幅器３０と同一の構成になっている。したがって、第２実施例の増幅器１３０において、第１実施例の増幅器３０と同一の構成には同一の符号を付し、その説明を省略する。
【００２６】
総合効率コントローラ１４８は、信号を送信する際に、ＤＳＰ２０からの出力電力信号と消費電力検出器１５０からの消費電力Ｐ１，Ｐ２と出力電力検出器１５２からの電力Ｐｏｕｔとに基づいて、メインアンプ３４から出力される信号の出力が要求出力電力Ｐｒｅｑになると共に消費電力Ｐ１に消費電力Ｐ２を加えた統合消費電力が小さくなるよう（ドライバ３２，メインアンプ３４の総合効率がよくなるよう）ＤＣ−ＤＣコンバータ４４，４６の目標電圧Ｖ１＊，Ｖ２＊を設定し、電源電圧ＶＤＤ１，ＶＤＤ２が設定した目標電圧Ｖ１＊，Ｖ２＊になるようＤＣ−ＤＣコンバータ４４，４６を制御する。これにより、信号を送信する際に増幅器３０を効率よく作動させることができ、送信機１０全体の消費電力の低減を図ることができる。
【００２７】
以上説明した第２実施例の送信機１１０では、信号を送信する際に、ＤＳＰ２０からの出力電力信号と消費電力検出器１５０からの消費電力Ｐ１，Ｐ２と出力電力検出器１５２からの電力Ｐｏｕｔとに基づいて、メインアンプ３４から出力される信号の出力が要求出力電力Ｐｒｅｑになると共に消費電力Ｐ１に消費電力Ｐ２を加えた統合消費電力が小さくなるよう（ドライバ３２，メインアンプ３４の総合効率がよくなるよう）ＤＣ−ＤＣコンバータ４４，４６の目標電圧Ｖ１＊，Ｖ２＊を設定し、電源電圧ＶＤＤ１，ＶＤＤ２が設定した目標電圧Ｖ１＊，Ｖ２＊になるようＤＣ−ＤＣコンバータ４４，４６を制御する。これにより、信号を送信する際に増幅器３０を効率よく作動させることができ、送信機１０全体の消費電力の低減を図ることができる。
【００２８】
第２実施例の送信機１１０では、ドライバ３２を予め定められたゲインで作動するものとしたが、図５に示す変形例の送信機１１０ａのように、ドライバ３２をゲインを変更可能な可変ゲインドライバ３２ａとして構成するものとしてもよい。この場合、総合効率コントローラ１４８に代えて総合効率コントローラ１４８ａを備えているものとし、総合効率コントローラ１４８ａは、ＤＳＰ２０からの出力電力信号と消費電力検出器１５０からの消費電力Ｐ１，Ｐ２と出力電力検出器１５２からの電力Ｐｏｕｔとに基づいて、メインアンプ３４から出力される信号の出力が要求出力電力Ｐｒｅｑになると共に消費電力Ｐ１に消費電力Ｐ２を加えた統合消費電力が小さくなるよう（可変ゲインドライバ３２ａ，メインアンプ３４の総合効率がよくなるよう）ＤＣ−ＤＣコンバータ４４，４６の目標電圧Ｖ１＊，Ｖ２＊と可変ゲインドライバ３２ａのゲインとを設定し、電源電圧ＶＤＤ１，ＶＤＤ２が設定した目標電圧Ｖ１＊，Ｖ２＊になるようＤＣ−ＤＣコンバータ４４，４６を制御すると共に可変ゲインドライバ３２ａのゲインが目標ゲインＧ１＊になるよう可変ゲインドライバ３２ａを制御するものとすればよい。こうすれば、こうすれば、電源電圧ＶＤＤ１，ＶＤＤ２に加えて可変ゲインドライバ３２ａのゲインＧ１を変更することができるから、より細やかに可変ゲインドライバ３２ａを制御することができ、より適正に増幅器３０の消費電力を低減させることができる。
【００２９】
第１，第２実施例の送信機１０，１１０，変形例の送信機１０ａ，１１０ａでは、電源電圧ＶＤＤ１は、電源電圧ＶＤＤ２より高い電圧であるものとしたが、電源電圧ＶＤＤ１は電源電圧ＶＤＤ２と異なる電圧であればよいから、電源電圧ＶＤＤ１を電源電圧ＶＤＤ２より低い電圧としてもよい。
【００３０】
第１，第２実施例の送信機１０，１１０，変形例の送信機１０ａ，１１０ａでは、総合効率コントローラ４８，４８ａ，１４８，１４８ａは信号を送信する際に目標電圧Ｖ１＊，Ｖ２＊，目標ゲインＧ１＊の設定を行なうものとしたが、送信機１０，１１０，変形例の送信機１０ａ，１１０ａが送信機全体の消費電力または増幅器から出力された信号の電力を所定電力以下にする低電力モードにより動作可能なものであれば、こうした低電力モードのときに目標電圧Ｖ１＊，Ｖ２＊，目標ゲインＧ１＊の設定を実行するものとしてもよい。この場合、要求出力電力ＰｒｅｑやＤＳＰ２０からの出力電力信号，消費電力検出器１５０からの消費電力Ｐ１，Ｐ２，出力電力検出器１５２からの電力Ｐｏｕｔは信号を送信する際に総合効率コントローラ４８に逐次記憶されるものとし、低電力モードになったときに総合効率コントローラ４８に記憶されている要求出力電力ＰｒｅｑやＤＳＰ２０からの出力電力信号，消費電力検出器１５０からの消費電力Ｐ１，Ｐ２，出力電力検出器１５２からの電力Ｐｏｕｔなどを用いて目標電圧Ｖ１＊，Ｖ２＊，目標ゲインＧ１＊の設定をすればよい。
【００３１】
また、こうした無線で信号を送信機に適用するものに限定されるものではなく、信号を外部に有線で送信するものなどに搭載される増幅器の形態としても構わない。
【００３２】
実施例の主要な要素と課題を解決するための手段の欄に記載した発明の主要な要素との対応関係について説明する。実施例では、ドライバ３２が「第１増幅手段」に相当し、メインアンプ３４が「第２増幅手段」に相当し、電圧供給部４０が「電圧供給手段」に相当する。また、第２実施例では、出力電力検出器１５２が「出力電力検出手段」に相当する。
【００３３】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３４】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３５】
本発明は、増幅器や送信機の製造産業などに利用可能である。
【符号の説明】
【００３６】
１０，１０ａ，１１０，１１０ａ  送信機、２０  ＤＳＰ，２２  送信信号発生部、３０，３０ａ，１３０，１３０ａ  増幅器、３２  ドライバ、３２ａ，１３２ａ  可変ゲインドライバ、３４  メインアンプ、４０  電圧供給部、４２  電源、４４，４６  ＤＣ−ＤＣコンバータ、４８，４８ａ，１４８，１４８ａ  総合効率コントローラ、１５０  消費電力検出器、１５２  出力電力検出器。
【図１】
2014057178.tif 000003
【図２】
2014057178.tif 000004
【図３】
2014057178.tif 000005
【図４】
2014057178.tif 000006
【図５】
2014057178.tif 000007